(57)【要約】【課題】携帯端末の電源の状態の如何に関わらず、当該携帯端末の位置を特定することが可能な移動通信システムを提供する。【解決手段】携帯端末例えば携帯電話４０は、一般的な携帯端末の構成に加えて、緊急バッテリー４０７、バッテリーコントロール部４０５、緊急制御信号処理部４０４をさらに備え、通常バッテリー４０６からの電源供給が途絶えた場合には、バッテリーコントロール部４０５の制御により、電源供給元を通常バッテリー４０６から緊急バッテリー４０７に切り替え、かつ、あらかじめ任意に定めた時間間隔で間欠的に緊急バッテリー４０７からの電源供給をＯＮ／ＯＦＦする動作を行うとともに、緊急バッテリー４０７からの電源供給により動作する緊急制御信号処理部４０４の動作により、当該携帯電話４０の位置登録更新動作を通常状態における動作から変更する。【選択図】        図４
2016046678.tif 000002
【特許請求の範囲】
【請求項１】
交換機の制御の下、無線基地局が配置されているロケーションエリアに存在する携帯端末の位置情報に基づいて、該携帯端末の通信を行う移動通信システムにおいて、
前記携帯端末は、通常状態において電源供給を行う通常バッテリーの他に、緊急バッテリーをさらに備えるとともに、前記通常バッテリーと前記緊急バッテリーとの切替制御を行うバッテリーコントロール部と前記緊急バッテリーへの切り替え状態において動作する緊急制御信号処理部とをさらに備え、
前記通常バッテリーからの電源供給が切断された場合、または、前記通常バッテリーの蓄電量が消耗して電源供給が不可能な状態になった場合には、
前記バッテリーコントロール部の制御により、電源供給元を前記通常バッテリーから前記緊急バッテリーに切り替え、かつ、あらかじめ任意に定めた時間間隔で間欠的に前記緊急バッテリーからの電源供給をＯＮ／ＯＦＦする動作を行う、
とともに、
前記緊急バッテリーからの電源供給により動作する前記緊急制御信号処理部の動作により、少なくとも、当該携帯端末の位置登録更新動作を通常状態における動作から変更する
ことを特徴とする移動通信システム。
【請求項２】
前記交換機は、
位置登録されていない前記携帯端末を呼び出そうとする際に、当該携帯端末に関する検索信号を、すべての無線基地局を経由して一斉に送信する動作を行い、
一方、前記携帯端末は、
前記緊急バッテリーからの電源供給により動作する前記緊急制御信号処理部における動作として、前記交換機からの当該携帯端末に関する検索信号を受け取った際に、該検索信号に対する応答信号を生成して、前記検索信号の送信元の前記交換機に対して返送する動作を行う
ことを特徴とする請求項１に記載の移動通信システム。
【請求項３】
前記交換機から前記検索信号を送信する送信時刻が、間欠的に前記緊急バッテリーからの電源供給をＯＮ／ＯＦＦする動作を行う前記携帯端末において、前記緊急バッテリーからの電源供給がＯＮ状態の時間帯になるように、あらかじめ調整されていることを特徴とする特徴とする請求項２に記載の移動通信システム。
【請求項４】
間欠的に前記緊急バッテリーからの電源供給をＯＮ／ＯＦＦする動作を行う前記携帯端末は、
前記緊急バッテリーからの電源供給により動作する前記緊急制御信号処理部における動作として、前記緊急バッテリーからの電源供給がＯＮ状態に切り替わる都度、前記交換機に対して、当該携帯端末の位置登録動作を行う
ことを特徴とする請求項１に記載の移動通信システム。
【請求項５】
無線通信を行う移動通信システムにおける携帯端末であって、
通常状態において電源供給を行う通常バッテリーの他に、緊急バッテリーをさらに備えるとともに、前記通常バッテリーと前記緊急バッテリーとの切替制御を行うバッテリーコントロール部と前記緊急バッテリーへの切り替え状態において動作する緊急制御信号処理部とをさらに備え、
前記通常バッテリーからの電源供給が切断された場合、または、前記通常バッテリーの蓄電量が消耗して電源供給が不可能な状態になった場合には、
前記バッテリーコントロール部の制御により、電源供給元を前記通常バッテリーから前記緊急バッテリーに切り替え、かつ、あらかじめ任意に定めた時間間隔で間欠的に前記緊急バッテリーからの電源供給をＯＮ／ＯＦＦする動作を行う、
とともに、
前記緊急バッテリーからの電源供給により動作する前記緊急制御信号処理部の動作により、少なくとも、当該携帯端末の位置登録更新動作を通常状態における動作から変更する
ことを特徴とする携帯端末。
【請求項６】
交換機の制御の下、無線基地局が配置されているロケーションエリアに存在する携帯端末の位置情報に基づいて、該携帯端末の通信を行う移動通信システムにおいて、前記携帯端末の位置を特定する携帯端末位置特定方法であって、
前記携帯端末は、通常状態において電源供給を行う通常バッテリーの他に、緊急バッテリーをさらに備えるとともに、前記通常バッテリーと前記緊急バッテリーとの切替制御を行うバッテリーコントロールステップと前記緊急バッテリーへの切り替え状態において動作する緊急制御信号処理ステップとをさらに有し、
前記通常バッテリーからの電源供給が切断された場合、または、前記通常バッテリーの蓄電量が消耗して電源供給が不可能な状態になった場合には、
前記バッテリーコントロールステップの制御により、電源供給元を前記通常バッテリーから前記緊急バッテリーに切り替え、かつ、あらかじめ任意に定めた時間間隔で間欠的に前記緊急バッテリーからの電源供給をＯＮ／ＯＦＦする動作を行う
とともに、
前記緊急バッテリーからの電源供給時に動作する前記緊急制御信号処理ステップの動作により、少なくとも、当該携帯端末の位置登録更新動作を通常状態における動作から変更する
ことを特徴とする携帯端末位置特定方法。
【請求項７】
前記交換機は、
位置登録されていない前記携帯端末を呼び出そうとする際に、当該携帯端末に関する検索信号を、すべての無線基地局を経由して一斉に送信する動作を行い、
一方、前記携帯端末は、
前記緊急バッテリーからの電源供給により動作する前記緊急制御信号処理ステップにおける動作として、前記交換機からの当該携帯端末に関する検索信号を受け取った際に、該検索信号に対する応答信号を生成して、前記検索信号の送信元の前記交換機に対して返送する動作を行う
ことを特徴とする請求項６に記載の携帯端末位置特定方法。
【請求項８】
前記交換機から前記検索信号を送信する送信時刻が、間欠的に前記緊急バッテリーからの電源供給をＯＮ／ＯＦＦする動作を行う前記携帯端末において、前記緊急バッテリーからの電源供給がＯＮ状態の時間帯になるように、あらかじめ調整されていることを特徴とする特徴とする請求項７に記載の携帯端末位置特定方法。
【請求項９】
間欠的に前記緊急バッテリーからの電源供給をＯＮ／ＯＦＦする動作を行う前記携帯端末は、
前記緊急バッテリーからの電源供給により動作する前記緊急制御信号処理ステップにおける動作として、前記緊急バッテリーからの電源供給がＯＮ状態に切り替わる都度、前記交換機に対して、当該携帯端末の位置登録動作を行う
ことを特徴とする請求項６に記載の携帯端末位置特定方法。
【請求項１０】
請求項６ないし請求項９いずれかに記載の携帯端末位置特定方法を、コンピュータにより実行可能なプログラムとして実施していることを特徴とする携帯端末位置特定プログラム。
【発明の詳細な説明】
【技術分野】
【０００１】
本発明は、移動通信システム、携帯端末、携帯端末位置特定方法および携帯端末位置特定プログラムに関し、特に、携帯端末の電源ＯＮ／ＯＦＦ状態の如何に関わらず、携帯端末の位置を容易に特定するための移動通信システム、携帯端末、携帯端末位置特定方法および携帯端末位置特定プログラムに関する。
【背景技術】
【０００２】
近年、移動通信システムの著しい普及に伴い、ほぼ全員の人々が、携帯電話（ＭＳ）を携行する状況になっている。したがって、例えば、特許文献１の特開２００３−００９２０３号公報「無線通信システム」や特許文献２の特開２００２−３３５５６５号公報「携帯通信端末、その検索システムおよび方法」に記載されているように、移動通信システムとして携帯電話（ＭＳ）が存在する位置を特定することができれば、特定された携帯電話（ＭＳ）の存在位置に基づいて、当該携帯電話（ＭＳ）を携行している人が居る場所も特定することができ、特定された場所に応じて各種のサービスを提供するという技術が活発に開発されるようになっている。
【先行技術文献】
【特許文献】
【０００３】
【特許文献１】特開２００３−００９２０３号公報（第２−４頁）
【特許文献２】特開２００２−３３５５６５号公報（第４−６頁）
【発明の概要】
【発明が解決しようとする課題】
【０００４】
しかしながら、前記特許文献１や前記特許文献２に記載されたような従来の移動通信システムにおいては、携帯電話（ＭＳ）の電源が切断された場合や携帯電話（ＭＳ）のバッテリーの蓄電量が消耗して電源供給を行うことが不可能になった場合、移動通信システム側に位置登録されている位置情報が消去されてしまうために、当該携帯電話（ＭＳ）の存在位置を見つけ出すということはほぼ不可能になってしまう。
【０００５】
また、携帯電話（ＭＳ）を携行した人が犯罪等に巻き込まれた場合に、故意に、当該携帯電話（ＭＳ）の電源が切断されたり、または、数日間充電することなく放置されて、携帯電話（ＭＳ）の蓄電量が消耗し尽くされたりすると、当該携帯電話（ＭＳ）の存在位置を特定することが不可能になってしまう。
【０００６】
さらには、外出先において携帯電話（ＭＳ）の置き忘れや盗難にあった場合においても、当該携帯電話（ＭＳ）の電源が切れてしまったり、電源の蓄電量を消耗し尽くしてしまったりする事態が発生して、当該携帯電話（ＭＳ）の存在位置を特定することが不可能になってしまう。
【０００７】
（本発明の目的）
本発明は、かかる課題に鑑みてなされたものであり、携帯端末の電源の状態の如何に関わらず、当該携帯端末の位置を特定することが可能な移動通信システム、携帯端末、携帯端末位置特定方法および携帯端末位置特定プログラムを提供することを、その目的としている。
【課題を解決するための手段】
【０００８】
前述の課題を解決するため、本発明による移動通信システム、携帯端末、携帯端末位置特定方法および携帯端末位置特定プログラムは、主に、次のような特徴的な構成を採用している。
【０００９】
（１）本発明による移動通信システムは、
交換機の制御の下、無線基地局が配置されているロケーションエリアに存在する携帯端末の位置情報に基づいて、該携帯端末の通信を行う移動通信システムにおいて、
前記携帯端末は、通常状態において電源供給を行う通常バッテリーの他に、緊急バッテリーをさらに備えるとともに、前記通常バッテリーと前記緊急バッテリーとの切替制御を行うバッテリーコントロール部と前記緊急バッテリーへの切り替え状態において動作する緊急制御信号処理部とをさらに備え、
前記通常バッテリーからの電源供給が切断された場合、または、前記通常バッテリーの蓄電量が消耗して電源供給が不可能な状態になった場合には、
前記バッテリーコントロール部の制御により、電源供給元を前記通常バッテリーから前記緊急バッテリーに切り替え、かつ、あらかじめ任意に定めた時間間隔で間欠的に前記緊急バッテリーからの電源供給をＯＮ／ＯＦＦする動作を行う、
とともに、
前記緊急バッテリーからの電源供給により動作する前記緊急制御信号処理部の動作により、少なくとも、当該携帯端末の位置登録更新動作を通常状態における動作から変更する
ことを特徴とする。
【００１０】
（２）本発明による携帯端末は、
無線通信を行う移動通信システムにおける携帯端末であって、
通常状態において電源供給を行う通常バッテリーの他に、緊急バッテリーをさらに備えるとともに、前記通常バッテリーと前記緊急バッテリーとの切替制御を行うバッテリーコントロール部と前記緊急バッテリーへの切り替え状態において動作する緊急制御信号処理部とをさらに備え、
前記通常バッテリーからの電源供給が切断された場合、または、前記通常バッテリーの蓄電量が消耗して電源供給が不可能な状態になった場合には、
前記バッテリーコントロール部の制御により、電源供給元を前記通常バッテリーから前記緊急バッテリーに切り替え、かつ、あらかじめ任意に定めた時間間隔で間欠的に前記緊急バッテリーからの電源供給をＯＮ／ＯＦＦする動作を行う、
とともに、
前記緊急バッテリーからの電源供給により動作する前記緊急制御信号処理部の動作により、少なくとも、当該携帯端末の位置登録更新動作を通常状態における動作から変更する
ことを特徴とする。
【００１１】
（３）本発明による携帯端末位置特定方法は、
交換機の制御の下、無線基地局が配置されているロケーションエリアに存在する携帯端末の位置情報に基づいて、該携帯端末の通信を行う移動通信システムにおいて、前記携帯端末の位置を特定する携帯端末位置特定方法であって、
前記携帯端末は、通常状態において電源供給を行う通常バッテリーの他に、緊急バッテリーをさらに備えるとともに、前記通常バッテリーと前記緊急バッテリーとの切替制御を行うバッテリーコントロールステップと前記緊急バッテリーへの切り替え状態において動作する緊急制御信号処理ステップとをさらに有し、
前記通常バッテリーからの電源供給が切断された場合、または、前記通常バッテリーの蓄電量が消耗して電源供給が不可能な状態になった場合には、
前記バッテリーコントロールステップの制御により、電源供給元を前記通常バッテリーから前記緊急バッテリーに切り替え、かつ、あらかじめ任意に定めた時間間隔で間欠的に前記緊急バッテリーからの電源供給をＯＮ／ＯＦＦする動作を行う
とともに、
前記緊急バッテリーからの電源供給時に動作する前記緊急制御信号処理ステップの動作により、少なくとも、当該携帯端末の位置登録更新動作を通常状態における動作から変更する
ことを特徴とする。
【００１２】
（４）本発明による携帯端末位置特定プログラムは、少なくとも前記（３）に記載の携帯端末位置特定方法を、コンピュータにより実行可能なプログラムとして実施していることを特徴とする。
【発明の効果】
【００１３】
本発明の移動通信システム、携帯端末、携帯端末位置特定方法および携帯端末位置特定プログラムによれば、以下のような効果を奏することができる。
【００１４】
第１の効果は、携帯端末の通常バッテリーの電源が故意にＯＦＦされた場合であっても、あるいは、通常バッテリーの蓄電量が消耗して電源供給が不可能になった場合であっても、移動通信システム側からの検索動作に応答することができ、携帯端末の所在を特定し易くすることが可能になることである。その理由は、携帯端末に、通常バッテリー以外に緊急バッテリーも備え、通常バッテリーによって動作する通常動作時の部位と、緊急バッテリーによって動作する緊急動作時の部位とを分離して、緊急動作時には緊急制御信号処理部が動作することにより、位置登録更新動作を通常状態における動作から変更し、さらに、移動通信システム側においても、ホームレジスタに位置登録されていない携帯端末に対する検索を、移動通信システムを構成するすべての無線基地局（ＢＴＳ）から一斉に行うように変更することも容易に可能であるからである。
【００１５】
第２の効果は、携帯端末の緊急バッテリーによる動作中であっても、携帯端末の所在を検索するための時間を長時間に亘って確保することができることにある。その理由は、緊急制御信号処理部が動作することにより、緊急バッテリーによって動作中の携帯端末の動作に制限を加えて、移動通信システム側への位置登録更新動作を一部変更するとともに、無線信号の送信動作を極力抑え、かつ、緊急バッテリーからの電源供給のＯＮ／ＦＦ状態をあらかじめ任意に定めた時間間隔で間欠的に切り替えるようにして、緊急バッテリーの消耗を節約しているからである。
【図面の簡単な説明】
【００１６】
【図１】本発明による移動通信システムのシステム構成の一例を示すシステム構成図である。
【図２】図１の移動通信システムにおける携帯電話（ＭＳ）の内部構成の一例を示すブロック構成図である。
【図３】図２の携帯電話（ＭＳ）の通常状態において通常バッテリーから電源を供給する範囲Ａを説明するための模式図である。
【図４】図２の携帯電話（ＭＳ）の緊急状態において緊急バッテリーから電源を供給する範囲Ｂを説明するための模式図である。
【図５】図２に示した携帯電話（ＭＳ）の動作の一例を説明するためのタイムチャートである。
【発明を実施するための形態】
【００１７】
以下、本発明による移動通信システム、携帯端末、携帯端末位置特定方法および携帯端末位置特定プログラムの好適な実施形態について添付図を参照して説明する。なお、以下の説明においては、本発明による移動通信システム、携帯端末および携帯端末位置特定方法について説明するが、かかる携帯端末位置特定方法をコンピュータにより実行可能な携帯端末位置特定プログラムとして実施するようにしても良いし、あるいは、携帯端末位置特定プログラムをコンピュータにより読み取り可能な記録媒体に記録するようにしても良いことは言うまでもない。また、以下の各図面に付した図面参照符号は、理解を助けるための一例として各要素に便宜上付記したものであり、本発明を図示の態様に限定することを意図するものではないことも言うまでもない。
【００１８】
（本発明の特徴）
本発明の実施形態の説明に先立って、本発明の特徴についてその概要をまず説明する。本発明は、携帯端末例えば携帯電話（ＭＳ）に、緊急バッテリー、緊急制御信号処理部およびバッテリーコントロール部等を新たに追加実装し、通常バッテリーによって動作中であった携帯端末例えば携帯電話（ＭＳ）の電源が切断された状態に、または、携帯端末例えば携帯電話（ＭＳ）の通常バッテリーが消耗して電源供給が不可能な状態になった場合には、前記バッテリーコントロール部の制御により、電源供給元を通常状態で使用していた通常バッテリーから緊急バッテリーに切り替え、かつ、あらかじめ任意に定めた時間間隔で間欠的に電源供給をＯＮ／ＯＦＦする動作を行うとともに、携帯端末例えば携帯電話（ＭＳ）が、該緊急バッテリーによって動作中の状態においては、前記緊急制御信号処理部における動作により、移動通信システム側への位置登録更新動作を通常状態における動作から一部変更することによって、携帯端末例えば携帯電話（ＭＳ）の所在を特定し易くし、さらに、携帯端末例えば携帯電話（ＭＳ）の所在を探索する時間を長く確保することができるようにしていることを主要な特徴としている。
【００１９】
（本発明の実施形態）
次に、本発明による移動通信システムのシステム構成について、その一例を、図１を参照して説明する。図１は、本発明による移動通信システムのシステム構成の一例を示すシステム構成図である。このシステム構成図は、一般的な移動体通信システムのものとほぼ同様である。なお、以下の説明においては、本発明による携帯端末の一例として、携帯電話（ＭＳ）を適用する場合について説明するが、携帯可能な通信端末であれば携帯電話以外の如何なる端末であっても本発明は適用でき、本発明を適用する携帯端末は例えばスマートフォン、タブレット端末等であっても勿論差し支えない。
【００２０】
図１に示すように、本発明による移動通信システムは、交換機１０、ホームロケーションレジスタ（ＨＬＲ）２０、１ないし複数のロケーションエリア（ＬＡ）５０それぞれに存在する１ないし複数の無線基地局（ＢＴＳ）３０および携帯電話（ＭＳ）４０によって構成されて、交換機１０の制御の下、無線基地局（ＢＴＳ）３０が配置されているロケーションエリア（ＬＡ）５０に存在する携帯電話（ＭＳ）４０の位置情報に基づいて、当該携帯電話（ＭＳ）４０の通信を行う。ここで、ロケーションエリア（ＬＡ）５０とは、移動通信システムにおける制御単位として用いられるエリアの１つであり、各携帯電話（ＭＳ）４０が現在存在している位置を位置情報としてホームロケーションレジスタ（ＨＬＲ）２０に登録する単位とするエリアのことである。或る携帯電話（ＭＳ）４０に呼が着信した場合、当該携帯電話（ＭＳ）４０の位置情報として登録されているロケーションエリア（ＬＡ）５０単位で一斉呼出が行われる。
【００２１】
図１においては、無線基地局（ＢＴＳ）３０は、第１ロケーションエリア５１、第２ロケーションエリア５２〜第Ｎロケーションエリア５ＮのＮ個のロケーションエリア（ＬＡ）５０に分散して設置されている。第１ロケーションエリア５１には、第１１無線基地局（ＢＴＳ）３１１、第１２無線基地局（ＢＴＳ）３１２〜第１Ｎ１無線基地局（ＢＴＳ）３１Ｎ１のＮ１台が設置されている。第２ロケーションエリア５２には、第２１無線基地局（ＢＴＳ）３２１、第２２無線基地局（ＢＴＳ）３２２〜第２Ｎ２無線基地局（ＢＴＳ）３２Ｎ２のＮ２台が設置されている。以下同様であり、第Ｎロケーションエリア５Ｎには、第Ｎ１無線基地局（ＢＴＳ）３Ｎ１、第Ｎ２無線基地局（ＢＴＳ）３Ｎ２〜第ＮＮＮ無線基地局（ＢＴＳ）３ＮＮＮのＮＮ台が設置されている。
【００２２】
交換機１０は、各ロケーションエリア（ＬＡ）５０に存在する各無線基地局（ＢＴＳ）３０と接続され、各無線基地局（ＢＴＳ）３０の状態の監視や制御、無線リソースの管理を行っている。また、交換機１０は、各無線基地局（ＢＴＳ）３０と無線通信回線で接続された携帯電話（ＭＳ）４０との間で無線基地局（ＢＴＳ）３０を経由した通信を行い、携帯電話（ＭＳ）４０の管理も行っている。また、交換機１０は、各無線基地局（ＢＴＳ）３０と通信する携帯電話（ＭＳ）４０から、当該携帯電話（ＭＳ）４０が、無線基地局（ＢＴＳ）３０が配置されているどのロケーションエリア（ＬＡ）５０に存在しているか、という情報を示す位置登録信号を、当該携帯電話（ＭＳ）４０が存在するロケーションエリア（ＬＡ）５０内のいずれか１ないし複数の無線基地局（ＢＴＳ）３０から受信して、受信した該位置登録信号をホームロケーションレジスタ（ＨＬＲ）２０に送信する。
【００２３】
ホームロケーションレジスタ（ＨＬＲ）２０は、交換機１０から受信した該位置登録信号に基づいて、当該携帯電話（ＭＳ）４０が存在するローカルエリア（ＬＡ）５０を示す情報を、当該携帯電話（ＭＳ）４０の位置情報（ＬＡ情報）として記憶する。かくのごとき登録動作を行うことにより、ホームロケーションレジスタ（ＨＬＲ）２０は、各ロケーションエリア（ＬＡ）５０に存在するすべての携帯電話（ＭＳ）４０の位置情報（ＬＡ情報）を常に記憶している。
【００２４】
なお、携帯電話（ＭＳ）４０の電源が切断された場合は、交換機１０は、当該携帯電話（ＭＳ）４０の電源切断信号を、当該携帯電話（ＭＳ）４０を通信エリアとしてカバーしていた無線基地局（ＢＴＳ）３０から受信して、受信した該電源切断信号をホームロケーションレジスタ（ＨＬＲ）２０に送信する。
【００２５】
ホームロケーションレジスタ（ＨＬＲ）２０は、交換機１０から受信した該電源切断信号に基づいて、記憶していた当該携帯電話（ＭＳ）４０の位置情報（ＬＡ情報）をクリアする。つまり、ホームロケーションレジスタ（ＨＬＲ）２０は、各ロケーションエリア（ＬＡ）５０に存在するすべての携帯電話（ＭＳ）４０のうち、電源オン状態の携帯電話（ＭＳ）４０の位置情報（ＬＡ情報）は記憶しているが、たとえ、ロケーションエリア（ＬＡ）５０内に存在していても、電源オフ状態の携帯電話（ＭＳ）４０の位置情報（ＬＡ情報）については記憶することはない。
【００２６】
次に、図２を参照して、図１に示した携帯電話（ＭＳ）４０の内部構成の一例を説明する。図２は、図１の移動通信システムにおける携帯電話（ＭＳ）４０の内部構成の一例を示すブロック構成図である。
【００２７】
図２に示すように、携帯電話（ＭＳ）４０は、無線部４０１、制御部４０２、信号処理部４０３、緊急制御信号処理部４０４、バッテリーコントロール部４０５、通常バッテリー４０６および緊急バッテリー４０７を含んで構成される。無線部４０１、制御部４０２、信号処理部４０３および通常バッテリー４０６は、既存の携帯電話（ＭＳ）にも実装されている。本発明の移動通信システムに適用される携帯電話（ＭＳ）４０においては、図２に一例として示すように、緊急制御信号処理部４０４、バッテリーコントロール部４０５および緊急バッテリー４０７がさらに追加して実装されている。
【００２８】
無線部４０１は、当該携帯電話（ＭＳ）４０内の信号処理部４０３において処理された通常時における通信データを、通信エリア内に存在している無線基地局（ＢＴＳ）３０に対して無線信号として送信したり、通常時において無線基地局（ＢＴＳ）３０から送信されてきた無線信号を受信して信号処理部４０３に対して引き渡したりする機能を有している。さらには、本発明の移動通信システムを構成する無線電話（ＭＳ）４０として、無線部４０１は、緊急時において緊急制御信号処理部４０４から出力されるデータを、通信エリア内に存在している無線基地局（ＢＴＳ）３０に対して無線信号として送信したり、緊急時において無線基地局（ＢＴＳ）３０から送信されてきた無線信号を受信して緊急制御信号処理部４０４に対して引き渡したりする機能も有している。
【００２９】
信号処理部４０３は、通常時において無線基地局（ＢＴＳ）３０から無線部４０１を経由して受信した無線信号をベースバンド信号に復号し、復号した該ベースバンド信号を適宜処理して、当該携帯電話（ＭＳ）４０を使用するユーザに対して通信データ（音声情報、テキスト情報、映像情報等）として出力する。また、ユーザから入力された通信データ（音声情報、テキスト情報、映像情報等）を適宜処理して、ベースバンド信号に変換して、無線部４０１に対して出力する。
【００３０】
また、制御部４０２は、携帯電話（ＭＳ）４０内の全体の制御を行う部位であり、通常状態においては、無線部４０１や信号処理部４０３やバッテリーコントロール部４０５の各種制御を行っている。また、制御部４０２は、通常状態から緊急状態に切り替わる際に、無線部４０１や緊急制御信号処理部４０４やバッテリーコントロール部４０５の各種制御も行っている。
【００３１】
通常バッテリー４０６は、携帯電話（ＭＳ）４０の電源ＯＮ時に、無線部４０１、制御部４０２、信号処理部４０３およびバッテリーコントロール部４０５の各部位に対して電源を供給する。つまり、通常バッテリー４０６は、図３に範囲Ａとして示すように、通常状態において動作する各部位に対して電源を供給するためのバッテリーである。図３は、図２の携帯電話（ＭＳ）４０の通常状態において通常バッテリー４０６から電源を供給する範囲Ａを説明するための模式図である。
【００３２】
緊急制御信号処理部４０４は、緊急時において緊急バッテリー４０７からの電源供給によって動作し、無線基地局（ＢＴＳ）３０から無線部４０１を経由して受信した無線信号をベースバンド信号に復号し、復号した該ベースバンド信号を適宜処理して、無線基地局（ＢＴＳ）３０に対して返信すべきレスポンス信号を生成し、生成した該レスポンス信号をベースバンド信号に変換して、無線部４０１に対して返送する。
【００３３】
つまり、緊急制御信号処理部４０４においては、移動通信システム側への位置登録更新動作を一部変更して、移動通信システム側の交換機１０から無線基地局（ＢＴＳ）３０を経由して当該携帯電話（ＭＳ）４０に関する検索信号を受信した際に、当該無線電話（ＭＳ）４０からのレスポンスとして応答信号を移動通信システム側の交換機１０へ返送することにより、当該携帯電話（ＭＳ）４０が存在している現在位置を通知する動作を行う。さらには、緊急バッテリー４０７の消耗を抑えるために、緊急バッテリー４０７の電源がＯＮになっている緊急制御信号処理部４０４の動作時においては、無線信号の受信動作は常時行うものの、無線信号の送信動作を極力抑えるように、機能を制限している。
【００３４】
緊急バッテリー４０７は、携帯電話（ＭＳ）４０の電源ＯＦＦ時に、バッテリーコントロール部４０５の制御にしたがって、無線部４０１、緊急制御信号処理部４０４およびバッテリーコントロール部４０５の各部位に対して電源を供給する。つまり、緊急バッテリー４０７は、図４に範囲Ｂとして示すように、緊急状態において動作する各部位に対して電源を供給するためのバッテリーである。図４は、図２の携帯電話（ＭＳ）４０の緊急状態において緊急バッテリー４０７から電源を供給する範囲Ｂを説明するための模式図である。
【００３５】
バッテリーコントロール部４０５は、携帯電話（ＭＳ）４０の電源ＯＦＦ時（つまり通常バッテリー４０６の電源のＯＦＦ時）に、または、通常バッテリー４０６の蓄電量が消耗して、各部位に対する電源供給が不可能になった時に、電源供給元を通常バッテリー４０６から緊急バッテリー４０７に切り替えるとともに、緊急バッテリー４０７の電源のＯＮ／ＯＦＦを、あらかじめ任意に定めた時間間隔で繰り返すための制御を行う。
【００３６】
（実施形態の動作の説明）
次に、本発明の一例として示した図１の移動通信システムおよび図２〜図４の携帯電話（ＭＳ）４０の動作の一例について説明する。
【００３７】
携帯電話（ＭＳ）４０の通常状態時においては、図３に示したように、携帯電話（ＭＳ）４０は、範囲Ａに属する無線部４０１、制御部４０２、信号処理部４０３およびバッテリーコントロール部４０５のそれぞれに対して通常バッテリー４０６から電源が供給され、携帯電話（ＭＳ）４０は従来と同様の一般的な携帯電話（ＭＳ）としてのサービスが実施されている。
【００３８】
しかし、携帯電話（ＭＳ）４０の電源がＯＦＦされた場合、または、通常バッテリー４０６の蓄電量が消耗されて、各部位に対する十分な電源供給能力が失われた場合、バッテリーコントロール部４０５は、かくのごとき状態を緊急状態として検出して、緊急バッテリー４０７を制御して、図４に示したように、範囲Ｂに属する無線部４０１、緊急制御信号処理部４０４およびバッテリーコントロール部４０５それぞれに対して緊急バッテリー４０７から電源を供給する状態に切り替える。
【００３９】
以上の携帯電話（ＭＳ）４０の動作について、図５のタイムチャートを用いてさらに説明する。図５は、図２に示した携帯電話（ＭＳ）４０の動作の一例を説明するためのタイムチャートであり、電源の供給を通常バッテリー４０６から緊急バッテリー４０７に切り替える動作の一例を示している。
【００４０】
図５のタイムチャートに示すように、時刻ｔ１において、通常バッテリー４０６の電源がＯＮからＯＦＦに設定された場合、または、通常バッテリー４０６の蓄電量が消耗して、電源供給能力が失われた場合、通常バッテリー４０６からの電源供給は完全に停止されて、緊急バッテリー４０７からの電源供給が可能な状態になる。さらに、当該携帯電話（ＭＳ）４０を通信エリアとしてカバーしていた無線基地局（ＢＴＳ）３０は、当該携帯電話（ＭＳ）４０内の電源供給能力が失われて、無線電波の受信ができなくなったことを検知すると、当該携帯電話（ＭＳ）４０の電源切断信号を交換機１０に対して送信する。
【００４１】
かくのごとき通常バッテリー４０６の電源切断状態が継続している最中に、時刻ｔ２において、緊急バッテリー４０７をＯＮにすることを要求する何らかのトリガーが発生すると、バッテリーコントロール部４０５の制御により、緊急バッテリー４０７をＯＮして、緊急バッテリー４０７から無線部４０１、緊急制御信号処理部４０４およびバッテリーコントロール部４０５に対する電源供給を開始する。
【００４２】
ここでは、前述の何らかのトリガーとして、例えば、通常バッテリー４０６からの電源供給が完全に停止した時刻ｔ１から電源供給開始時間としてあらかじめ任意に定めた時間が経過した時点としても良い。なお、通常バッテリー４０６からの電源供給停止中の状態においては、バッテリーコントロール部４０５は、緊急バッテリー４０７のＯＮ／ＯＦＦを自由に行うことができる。
【００４３】
次に、図１の移動通信システムの動作について説明する。通常状態においては、携帯電話（ＭＳ）４０の電源がＯＮされると、当該携帯電話（ＭＳ）４０は、自携帯電話（ＭＳ）４０が無線基地局（ＢＴＳ）３０のどのロケーションエリア（ＬＡ）５０の範囲内に存在するか、という情報を示す位置登録信号を、無線基地局（ＢＴＳ）３０を経由して、交換機１０に報告する。交換機１０は、該位置登録信号を受け取ると、当該携帯電話（ＭＳ）４０が存在するローカルエリア（ＬＡ）５０を示す情報を、当該携帯電話（ＭＳ）４０の位置情報（ＬＡ情報）として、ホームロケーションレジスタ（ＨＬＲ）２０に書き込むことにより、当該携帯電話（ＭＳ）４０が存在する位置（ＬＡ）を常に把握し続ける。
【００４４】
かかる状態が継続した後、図５の時刻ｔ１において、携帯電話（ＭＳ）４０の通常バッテリー４０６からの電源が切断されて電源切断状態が発生した場合は、交換機１０は、当該携帯電話（ＭＳ）４０の電源切断信号を、当該携帯電話（ＭＳ）４０を通信エリアとしてカバーしていた無線基地局（ＢＴＳ）３０から受信する。交換機１０は、該電源切断信号を受信すると、該電源切断信号受信時点から削除時間としてあらかじめ任意に定めた時間が経過した際に、ホームロケーションレジスタ（ＨＬＲ）２０に記憶されている当該携帯電話（ＭＳ）４０の位置情報（ＬＡ情報）をクリアする。
【００４５】
一方、前述したように、当該携帯電話（ＭＳ）４０においても、例えば通常バッテリー４０６の電源がＯＦＦされた場合、何らかのトリガーが発生した時点、例えば、通常バッテリー４０６の電源供給停止状態が発生した後、電源供給開始時間としてあらかじめ任意に定めた時間を経過した時点の時刻ｔ２において、バッテリーコントロール部４０５の制御により、電源供給が緊急バッテリー４０７に切り替えられる。
【００４６】
電源供給元になった緊急バッテリー４０７は、緊急時において動作する緊急制御信号処理部４０４およびバッテリーコントロール部４０５への電源供給を行うとともに、無線部４０１に対する電源の供給も再開する。しかし、緊急バッテリー４０７は多くの蓄電容量を有しているわけではなく、消費電力量が大きい無線部４０１に対する電源供給状態を長時間に亘って継続することができないため、緊急バッテリー４０７からの電源供給開始後、電源供給継続時間としてあらかじめ任意に定めた時間が経過した時点で緊急バッテリー４０７からの電源供給を停止する。
【００４７】
したがって、図５の時刻ｔ１において通常バッテリー４０６からの電源供給が停止した後、あらかじめ定めた前記電源供給開始時間が経過した時刻ｔ２に達した時点において、緊急バッテリー４０７からの電源供給が開始され、しかる後、該時刻ｔ２からあらかじめ定めた前記電源供給継続時間が経過した時刻ｔ３に達した時点において、緊急バッテリー４０７からの電源供給が停止する。つまり、図５に示す時刻ｔ２から時刻ｔ３までの区間Ａの間、緊急バッテリー４０７からの電源供給が行われる。
【００４８】
しかる後、該時刻ｔ３からあらかじめ定めた前記電源供給開始時間が経過した時刻ｔ４に達した時点において、緊急バッテリー４０７からの電源供給が再開され、しかる後、該時刻ｔ４からあらかじめ定めた前記電源供給継続時間が経過した時刻ｔ５に達した時点において、緊急バッテリー４０７からの電源供給が再度停止する。つまり、図５に示す時刻ｔ４から時刻ｔ５までの区間Ｂの間、緊急バッテリー４０７からの電源供給が行われる。
【００４９】
かくのごとく、通常バッテリー４０６からの電源供給が停止した後、区間Ａ、区間Ｂに示すように、緊急バッテリー４０７からの電源供給が、前記電源供給開始時間と前記電源供給継続時間との合計時間による時間経過に応じて、間欠的に行われ、前記電源供給継続時間に応じた時間の間だけ電源供給を行う動作を繰り返す。つまり、携帯電話（ＭＳ）４０の緊急バッテリー４０７の蓄電量を長持ちさせるために、当該携帯電話（ＭＳ）４０は、通常バッテリー４０６の電源供給を停止した後、緊急バッテリー４０７の電源を常時ＯＮ状態に設定するのではなく、あらかじめ定めた周期で間欠的に緊急バッテリー４０７の電源供給状態をＯＮ／ＯＦＦする。ここで、あらかじめ定めた周期とは、前記電源供給開始時間と前記電源供給継続時間との合計時間の経過ごとであり、緊急バッテリー４０７の電源のＯＮ時間は、前記電源供給継続時間に応じた時間である。
【００５０】
なお、携帯電話（ＭＳ）４０は、通常、電源ＯＮにした際には、移動通信システムとしての認証動作を行い、ホームレジスタ（ＨＬＲ）２０への位置登録を行っている。しかし、図２ないし図４に示した本実施形態における携帯電話（ＭＳ）４０においては、通常バッテリー４０６ではなく、緊急バッテリー４０７からの電源供給によって動作している場合には、緊急バッテリー４０７の電力消費をできる限り抑えるために、携帯電話（ＭＳ）４０の受信機能を常時動作させるものの、送信動作を極力抑えるという動作制限を行うようにし、ホームレジスタ（ＨＬＲ）２０への位置登録動作も行わない。
【００５１】
したがって、ホームレジスタ（ＨＬＲ）２０への位置登録動作を行っていない携帯電話（ＭＳ）４０に関しては、移動通信システムとして、当該携帯電話（ＭＳ）４０がどのロケーションエリア（ＬＡ）５０に存在しているか不明になる。このため、当該携帯電話（ＭＳ）４０を呼び出そうとする場合、移動通信システムに属するすべての無線基地局（ＢＴＳ）３０から、緊急バッテリー４０７の電源で動作している当該携帯電話（ＭＳ）４０を検索することになる。ここで、携帯電話（ＭＳ）４０の緊急バッテリー４０７の電源が間欠的にＯＮになる区間Ａ、区間Ｂの開始時刻および停止時刻、移動通信システムからの検索時刻については、移動通信システム側と携帯電話（ＭＳ）４０側との間で、あらかじめ調整して定めておくことが望ましい。例えば、区間Ａ、区間Ｂの開始時刻、停止時刻を、毎時０分から５分までの５分間、移動通信システムからの検索時刻を毎時０分から５分までのいずれかの時刻としてあらかじめ定めておく。
【００５２】
図５に示す例においては、移動通信システム側の交換機１０からの検索動作は、携帯電話（ＭＳ）４０の通常バッテリー４０６が切断して緊急バッテリー４０７が最初にＯＮになる区間Ａでは行われていない。しかし、移動通信システム側の交換機１０と携帯電話（ＭＳ）４０との間で、移動通信システム側の交換機１０における検索時刻が、携帯電話（ＭＳ）４０の緊急バッテリー４０７の電源供給ＯＮの時間帯になるようにあらかじめ調整して定めているので、移動通信システム側の交換機１０からの検索動作は、緊急バッテリー４０７が次に間欠的にＯＮになる区間Ｂにおいて確実に行われるようになる。
【００５３】
したがって、図５に示すように、区間ＢにおいてＯＮ状態にある緊急バッテリー４０７によって動作中の無線部４０１を経由して、区間Ｂにおいて動作中の緊急制御信号処理部４０４において移動通信システム側の交換機１０からの検索信号を受信すると、緊急制御信号処理部４０４は、受信した該検索信号に対するレスポンス信号を生成することになる。
【００５４】
区間Ｂにおいて動作中の緊急制御信号処理部４０４において生成したレスポンス信号（応答信号）は、図５に示すように、無線部４０１を経由して、問い合わせ元の移動通信システム側の交換機１０に返送することになり、移動通信システム側の交換機１０からの検索動作に応じて、携帯電話（ＭＳ）４０は、当該携帯電話（ＭＳ）４０の位置を移動通信システム側の交換機１０に通知するための応答動作を行うことができる。而して、交換機１０は、呼び出し対象の携帯電話（ＭＳ）４０の位置を特定することができ、当該携帯電話（ＭＳ）４０と通信を行うことが可能になる。
【００５５】
なお、以上の説明においては、緊急バッテリー４０７からの電源供給によって動作中にある場合、当該携帯電話（ＭＳ）４０の位置登録更新動作を一部変更して、緊急制御信号処理部４０４が移動通信システム側からの検索信号に応じてレスポンス信号（応答信号）を返送するという動作について説明した。しかし、本発明は、緊急時における動作として、無線信号の送信動作を極力抑えることが可能な動作であれば、かかる場合のみに限るものではない。
【００５６】
例えば、緊急バッテリー４０７によって動作する緊急制御信号処理部４０４は、移動通信システム側の交換機１０から送信されてきた短いテキスト文を受信して、該テキスト文に対する応答メッセージを編集して、移動通信システム側の交換機１０へ返送するようにすることも可能であるし、移動通信システム側の交換機１０からの呼び出し信号に対して緊急時用としてあらかじめ定めた専用の応答信号を返送するようにすることも可能である。さらには、場合によっては、呼び出し信号に対して応答して特定の音声メッセージを送信するようにすることも可能である。
【００５７】
（実施形態の効果の説明）
以上に詳細に説明したように、本実施形態においては次のような効果が得られる。
【００５８】
第１の効果は、携帯端末例えば携帯電話（ＭＳ）４０の通常バッテリー４０６の電源が故意にＯＦＦされた場合であっても、あるいは、通常バッテリー４０６の蓄電量が消耗して電源供給が不可能になった場合であっても、緊急バッテリー４０７を使用して、移動通信システム側からの検索動作に応答することができ、携帯端末例えば携帯電話（ＭＳ）４０の所在を特定し易くすることが可能になることである。その理由は、携帯端末例えば携帯電話（ＭＳ）４０に、通常バッテリー４０６以外に緊急バッテリー４０７も備え、通常バッテリー４０６によって動作する通常動作時の部位と、緊急バッテリー４０７によって動作する緊急動作時の部位とを分離して、緊急動作時には緊急制御信号処理部４０４が動作することにより、位置登録更新動作を通常状態における動作から変更し、さらに、移動通信システム側においても、ホームレジスタ（ＨＬＲ）２０に位置登録されていない携帯端末例えば携帯電話（ＭＳ）４０に対する検索を、移動通信システムを構成するすべての無線基地局（ＢＴＳ）３０から一斉に行うように変更することも容易に可能であるからである。
【００５９】
第２の効果は、携帯端末例えば携帯電話（ＭＳ）４０の緊急バッテリー４０７による動作中であっても、携帯端末例えば携帯電話（ＭＳ）４０の所在を検索するための時間を長時間に亘って確保することができることにある。その理由は、緊急制御信号処理部４０４が動作することにより、緊急バッテリー４０７によって動作中の携帯端末例えば携帯電話（ＭＳ）４０の動作に制限を加えて、移動通信システム側への位置登録更新動作を一部変更するとともに、無線信号の送信動作を極力抑え、かつ、緊急バッテリー４０７からの電源供給のＯＮ／ＦＦ状態をあらかじめ任意に定めた時間間隔で間欠的に切り替えるようにして、緊急バッテリー４０７の消耗を低減しているからである。
【００６０】
（他の実施形態）
以上の実施形態の説明においては、緊急バッテリー４０７によって動作中の携帯電話（ＭＳ）４０は、ホームレジスタ（ＨＬＲ）２０への位置登録を行わないという場合について説明したが、本発明は、かかる場合に限るものではない。例えば、携帯電話（ＭＳ）４０が緊急バッテリー４０７によって動作する状態に移行する都度、ホームレジスタ（ＨＬＲ）２０への位置登録を行うようにしても良い。緊急バッテリー４０７による動作に移行する都度、位置登録を行うことにより、携帯電話（ＭＳ）４０の緊急バッテリー４０７の消費は早まってしまうが、移動通信システム側においては、呼び出し対象の携帯電話（ＭＳ）４０の位置を早く把握することが可能になるとともに、ホームレジスタ（ＨＬＲ）２０に位置登録されていない携帯電話（ＭＳ）４０への呼び出しを行う必要がなくなるという効果が得られる。
【００６１】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００６２】
１０            交換機
２０            ホームロケーションレジスタ（ＨＬＲ）
３０            無線基地局（ＢＴＳ）
４０            携帯電話（ＭＳ）
５０            ロケーションエリア（ＬＡ）
５１            第１ロケーションエリア（ＬＡ）
５２            第２ロケーションエリア（ＬＡ）
５Ｎ            第Ｎロケーションエリア（ＬＡ）
３１１          第１１無線基地局（ＢＴＳ）
３１２          第１２無線基地局（ＢＴＳ）
３１Ｎ１         第１Ｎ１無線基地局（ＢＴＳ）
３２１          第２１無線基地局（ＢＴＳ）
３２２          第２２無線基地局（ＢＴＳ）
３１Ｎ２         第２Ｎ２無線基地局（ＢＴＳ）
３Ｎ１          第Ｎ１無線基地局（ＢＴＳ）
３Ｎ２          第Ｎ２無線基地局（ＢＴＳ）
３ＮＮＮ         第ＮＮＮ無線基地局（ＢＴＳ）
４０１          無線部
４０２          制御部
４０３          信号処理部
４０４          緊急制御信号処理部
４０５          バッテリーコントロール部
４０６          通常バッテリー
４０７          緊急バッテリー
【図１】
2016046678.tif 000003
【図２】
2016046678.tif 000004
【図３】
2016046678.tif 000005
【図４】
2016046678.tif 000006
【図５】
2016046678.tif 000007